(57)【要約】【課題】歩み板を取り除くことがないと共に、保守点検時の作業負担を増加させることなく、鉄道車両に加わる横力を低減することができる歩み板を備えた鉄道車両を提供する。【解決手段】屋根上に長手方向に沿って歩み板を備える鉄道車両の屋根上構造において、前記歩み板は、前記屋根から水平方向に延設する踏面と、前記踏面の端部から垂下する側部とを備え、前記側部から前記踏面に向かって通気可能な通気手段を備える。【選択図】図１
2015155228.tif 000002
【特許請求の範囲】
【請求項１】
屋根上に長手方向に沿って歩み板を備える鉄道車両の屋根上構造において、
前記歩み板は、前記屋根から水平方向に延設する踏面と、前記踏面の端部から垂下する側部とを備え、
前記側部から前記踏面に向かって通気可能な通気手段を備えることを特徴とする鉄道車両の屋根上構造。
【請求項２】
請求項１に記載の鉄道車両の屋根上構造において、
前記歩み板は、前記踏面と前記側部とを備えた櫛部を所定の間隔で前記長手方向に沿って配列し、隣り合う櫛部間に前記通気手段が形成されることを特徴とする鉄道車両の屋根上構造。
【請求項３】
請求項１に記載の鉄道車両の屋根上構造において、
前記通気手段は、前記水平方向に沿って前記歩み板に形成した溝であることを特徴とする鉄道車両の屋根上構造。
【請求項４】
請求項１に記載の鉄道車両の屋根上構造において、
前記踏面及び前記側部は、通気可能な板材によって構成され、
前記歩み板内部を中空に形成することで前記通気手段を構成することを特徴とする鉄道車両の屋根上構造。
【請求項５】
請求項４に記載の鉄道車両の屋根上構造において、
前記板材は、格子状のグレーティングであることを特徴とする鉄道車両の屋根上構造。
【発明の詳細な説明】
【技術分野】
【０００１】
本発明は、鉄道車両の屋根上構造に係り、特に、鉄道車両の転覆限界風速の低下を招かない屋根上の歩み板の構造に関する。
【背景技術】
【０００２】
従来、鉄道車両の屋根上構造の多くは、図５に示すように、屋根に設置された空調機器１２０等の保守作業を安全に行うために、屋根上に作業者が歩行可能な歩み板１１０が屋根の肩部から突出するように設けられている。
【０００３】
空調機器１２０等が屋根上に設置される理由は、空調機器１２０を屋根上に設置することで、鉄道車両１００の客室内の上部の空間を大きくとることができることによる。
【０００４】
この歩み板の構造は種々の構造が知られているが、例えば特許文献１に記載されているように、空調ダクトとしての機能を兼ね備えた歩み板などが知られている。
【先行技術文献】
【特許文献】
【０００５】
【特許文献１】特開２０１１−２０７４５９号公報
【発明の概要】
【発明が解決しようとする課題】
【０００６】
しかし、従来の歩み板の構造によると、図６に示すように鉄道車両１００の走行中に側方から風を受けると、歩み板１１０によって、横からの風が上流側で剥離してしまい、鉄道車両１００に作用する横向きの力が大きく作用することとなる。
【０００７】
ここで、鉄道車両１００は、横から強風を受けると転覆する可能性があり、転覆に至る限界の風速は高いほど安全であるところ、従来の鉄道車両１００は、歩み板１１０の上述した作用によって歩み板１１０のない鉄道車両に比べて弱い風であっても鉄道車両１００が転覆限界風速に最も影響のある外力となる横風を大きく受けることとなり、転覆しやすくなるといった問題があった。
【０００８】
また、歩み板１１０は、上述したように屋根上の機器の保守点検を安全に実施するために不可欠な構成であり、これを取り除くことはできないという問題も有していた。
【０００９】
さらに、歩み板１１０の近傍で上述した通気の剥離を生じさせないように、空力を向上させるカバーを設置することも考えられるが、カバーを設置すると、保守点検時に当該カバーを着脱する必要が生じるため、保守点検時の作業が煩雑となって、作業負担が増加するという問題もある。
【００１０】
そこで、本発明は上記問題に鑑みてなされたものであり、歩み板を取り除くことがないと共に、保守点検時の作業負担を増加させることなく、鉄道車両に加わる横力を低減することができる歩み板を備えた鉄道車両の屋根上構造を提供することを目的とする。
【課題を解決するための手段】
【００１１】
本発明に係る鉄道車両の屋根上構造は、屋根上に長手方向に沿って歩み板を備える鉄道車両の屋根上構造において、前記歩み板は、前記屋根から水平方向に延設する踏面と、前記踏面の端部から垂下する側部とを備え、前記側部から前記踏面に向かって通気可能な通気手段を備えることを特徴とする。
【００１２】
また、本発明に係る鉄道車両の屋根上構造において、前記歩み板は、前記踏面と前記側部とを備えた櫛部を所定の間隔で前記長手方向に沿って配列し、隣り合う櫛部間に前記通気手段が形成されると好適である。
【００１３】
また、本発明に係る鉄道車両の屋根上構造において、前記通気手段は、前記水平方向に沿って前記歩み板に形成した溝であると好適である。
【００１４】
また、本発明に係る鉄道車両の屋根上構造において、前記踏面及び前記側部は、通気可能な板材によって構成され、前記歩み板内部を中空に形成することで前記通気手段を構成すると好適である。
【００１５】
また、本発明に係る鉄道車両の屋根上構造において、前記板材は、格子状のグレーティングであると好適である。
【発明の効果】
【００１６】
本発明に係る鉄道車両の屋根上構造は、歩み板が側部から踏面に向かって通気可能な通気手段を備えているので、鉄道車両が側方から風を受けた場合であっても、通気手段を風が通過することで、上流側での剥離を防止し、鉄道車両に作用する横向きの力を低減させることができる。したがって、本発明によれば、鉄道車両の転覆限界風速を高めることができるので、鉄道車両の転覆の安全性を高めることができる。
また、鉄道車両の真横から自然風が吹いている場合に、鉄道車両が走行する際には、鉄道車両に対して斜め前方からの風が吹くことになる。このため、進行方向からの風に対しても風が通過する構造がより良いものとなる。
【図面の簡単な説明】
【００１７】
【図１】本発明の第１の実施形態に係る鉄道車両の斜視図。
【図２】本発明の第２の実施形態に係る鉄道車両の斜視図。
【図３】本発明の第２の実施形態に係る鉄道車両の正面図。
【図４】本発明の第２の実施形態に係る鉄道車両に用いられる板材の斜視図。
【図５】従来の鉄道車両を示す斜視図。
【図６】従来の鉄道車両の歩み板の作用を示す図。
【発明を実施するための形態】
【００１８】
以下、本発明を実施するための好適な実施形態について、図面を用いて説明する。なお、以下の実施形態は、各請求項に係る発明を限定するものではなく、また、実施形態の中で説明されている特徴の組み合わせの全てが発明の解決手段に必須であるとは限らない。
【００１９】
［第１の実施形態］
図１は、本発明の第１の実施形態に係る鉄道車両の斜視図である。
【００２０】
図１に示すように、本実施形態に係る鉄道車両１の屋根上構造は、屋根２上に空調機器２０が設置されている。また、屋根２の水平方向の両端に位置する肩部には、歩み板１０が肩部から突出するように形成されている。
【００２１】
歩み板１０は、鉄道車両１の長手方向に沿って延設されており、屋根２から水平方向に延設する踏面１１と、踏面１１の端部からから垂下して鉄道車両１に連結する側部１２とを備えている。
【００２２】
また、踏面１１と側部１２は、断面略三角形状の櫛部１４を構成しており、歩み板１０は、この櫛部１４を複数所定の間隔で長手方向に配列して櫛歯状に構成されている。
【００２３】
このように櫛部１４を所定の間隔で配列することで、隣り合う櫛部１４，１４間に隙間１３が形成されるので、該隙間１３を通気手段として構成することが可能となる。具体的には、図１に示すように、隙間１３を通気Ｆが通過することで、鉄道車両１に加わる横風を上流側に剥離させることなく流すことが可能となる。これにより、横風によって鉄道車両１に作用する横力を低減させることが可能となり、鉄道車両１の転覆限界風力を高めることができ、鉄道車両１の安全性を高めることが可能となる。
【００２４】
なお、隙間１３を構成する櫛部１４，１４間の間隔は、適宜設定することができるが、作業者が踏面１１を歩行することを考慮すれば、作業の安全性及び歩行の妨げとならないように例えば歩み板１０上を歩行する際に、その歩行の妨げとならない大きさに形成することが好ましい。
【００２５】
［第２の実施形態］
以上説明した第１の実施形態に係る鉄道車両１の屋根上構造は、歩み板１０を櫛歯状に形成して通気手段を構成した場合について説明を行った。次に説明する第２の実施形態の鉄道車両３は、第１の実施形態とは異なる形態を有する歩み板１０ａの実施例について説明を行うものである。なお、上述した第１の実施形態の場合と同一又は類似する部材については、同一符号を付して説明を省略する。
【００２６】
図２は、本発明の第２の実施形態に係る鉄道車両の斜視図であり、図３は、本発明の第２の実施形態に係る鉄道車両の正面図であり、図４は、本発明の第２の実施形態に係る鉄道車両に用いられる板材の斜視図である。
【００２７】
図２に示すように、本実施形態に係る鉄道車両３の屋根上構造は、歩み板１０ａの踏面１１ａ及び側部１２ａを其々通気可能な板材によって構成している。
【００２８】
具体的には、図３に示すように、屋根２から水平方向に沿って延びる踏面１１ａと、踏面１１ａの端部から垂下して鉄道車両３と連結する側部１２ａとが、それぞれ板材によって構成されることで、歩み板１０ａの内部を中空に形成している。
【００２９】
また、図４に示すように、踏面１１ａ及び側部１２ａは格子状のグレーティングによって構成されていると好適である。このように踏面１１ａ及び側部１２ａを構成する板材に格子状のグレーティングを適用することで、本実施形態に係る鉄道車両３が横風を受けた場合、側部１２ａを通過した通気Ｆは歩み板１０ａの内部を通過して、踏面１１ａから抜けるように流れるので、通気Ｆを上流側へ剥離することなく流すことができる。これにより、横風によって鉄道車両３に作用する横力を低減させることが可能となり、鉄道車両３の転覆限界風速を高めることができ、鉄道車両１の安全性を高めることが可能となる。
【００３０】
以上説明した第１の実施形態に係る鉄道車両１の屋根上構造は、櫛部１４，１４を所定の間隔で配列して歩み板１０を櫛歯状に形成することで、通気手段を隙間１３として構成した場合について説明を行ったが、隙間１３の形成方法はこれに限られず、例えば、従来の歩み板に所定の間隔で水平方向に沿って複数の溝を形成しても構わない。また、溝の深さは、屋根に達する程度に深く形成しても構わないし、例えば、歩み板の剛性を考慮して適宜深さを設定しても構わない。
【００３１】
また、上述した第２の実施形態に係る鉄道車両３の屋根上構造は、通気可能な板材として格子状のグレーティングを用いた場合について説明を行ったが、板材の形状は格子状のグレーティングに限られず、例えば、複数の貫通孔が穿孔されたパンチングメタルや網状の板材あるいは多孔質材を用いても構わない。
【００３２】
さらに、側部１２ａを板材を用いて構成した場合について説明を行ったが、側部１２ａは、踏面１１ａに加わる荷重を負荷することができればどのような形態であっても構わない。例えば、踏面１１ａに加わる荷重を負荷することができるように、所定の間隔で支持柱を配置して側部を構成しても構わない。その様な変更又は改良を加えた形態も本発明の技術的範囲に含まれうることが、特許請求の範囲の記載から明らかである。
【符号の説明】
【００３３】
１，３                  鉄道車両，
２                      屋根，
１０，１０ａ，１１０    歩み板，
１１，１１ａ，１１１    踏面，
１２，１２ａ，１１２    側部，
１３                    隙間（通気手段），
１４                    櫛部，
２０                    空調機器，
Ｆ                      通気。
【図１】
2015155228.tif 000003
【図２】
2015155228.tif 000004
【図３】
2015155228.tif 000005
【図４】
2015155228.tif 000006
【図５】
2015155228.tif 000007
【図６】
2015155228.tif 000008